【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
位置サーバからの観測到着時間差（ＯＴＤＯＡ）支援情報を提供する、プロセッサによって実行される方法であって、
前記位置サーバ上の通信インタフェースを介して、ユーザ機器（ＵＥ）に前記ＯＴＤＯＡ支援情報を送ること
を備え、前記ＯＴＤＯＡ支援情報は、測位基準信号（ＰＲＳ）支援情報を備え、物理送信アンテナ要素交換が前記位置サーバによってサービス提供されるセルのサブセットにおける少なくとも１つのセルによって使用される場合、前記ＰＲＳ支援情報は、前記少なくとも１つのセルに関するアンテナ交換支援情報を含み、前記アンテナ交換支援情報は、
１つまたは複数のパラメータ、ここにおいて、前記１つまたは複数のパラメータの各々は、
前記位置サーバによってサービス提供されるセルの前記サブセットにおけるセルを識別し、
物理送信アンテナ要素交換が、前記セルのためのＰＲＳ測位オケージョン間で生じるかどうかを示す、または
アンテナ交換間隔に関連する情報、
のうちの少なくとも１つをさらに備える、
方法。
【請求項２】
前記１つまたは複数のパラメータは、ブーリアンパラメータを備える、請求項１に記載の方法。
【請求項３】
前記アンテナ交換間隔は、物理送信アンテナ要素が交換される前に、前記少なくとも１つのセルにおける前記物理送信アンテナ要素上で送信される連続的なＰＲＳ測位オケージョンの数の観点から指定される、請求項１に記載の方法。
【請求項４】
前記アンテナ交換支援情報は、アンテナ交換パターン情報のうちの少なくとも１つをさらに備える、請求項３に記載の方法。
【請求項５】
前記ＯＴＤＯＡ支援情報は、ロングタームエボリューション（ＬＴＥ）測位プロトコル（ＬＰＰ）またはＬＰＰ拡張子（ＬＰＰｅ）メッセージを使用して前記ＭＳに送られる、請求項１に記載の方法。
【請求項６】
前記少なくとも１つのセルのための前記位置サーバは、
サービス提供モバイル位置センタ（ＳＭＬＣ）、または進化型ＳＭＬＣ（Ｅ−ＳＭＬＣ）、またはポジション決定エンティティ（ＰＤＥ）、またはセキュアユーザプレーンロケーション（ＳＵＰＬ）位置プラットフォーム（ＳＬＰ）、
のうちの１つである、請求項１に記載の方法。
【請求項７】
通信インタフェースと、ここにおいて、前記通信インタフェースは、ユーザ機器（ＵＥ）に観測到着時間差（ＯＴＤＯＡ）支援情報を送るためのものである、
前記通信インタフェースに結合されたプロセッサと
を備え、前記プロセッサは、位置サーバによってサービス提供されるセルのサブセットにおける少なくとも１つのセルに関する前記ＯＴＤＯＡ支援情報を生成するように構成され、前記ＯＴＤＯＡ支援情報は、測位基準信号（ＰＲＳ）支援情報を備え、物理送信アンテナ要素交換が前記少なくとも１つのセルによって使用される場合、前記ＰＲＳ支援情報は、前記少なくとも１つのセルに関するアンテナ交換支援情報を含み、前記アンテナ交換支援情報は、
１つまたは複数のパラメータ、ここにおいて、前記１つまたは複数のパラメータの各々は、
前記位置サーバによってサービス提供されるセルの前記サブセットにおけるセルを識別し、
物理送信アンテナ要素交換が、前記セルのためのＰＲＳ測位オケージョン間で生じるかどうかを示す、または
アンテナ交換間隔に関連する情報
のうちの少なくとも１つをさらに備える、
位置サーバ。
【請求項８】
前記１つまたは複数のパラメータは、ブーリアンパラメータを備える、請求項７に記載の位置サーバ。
【請求項９】
前記アンテナ交換間隔は、物理送信アンテナ要素が交換される前に、前記少なくとも１つのセルにおける前記物理送信アンテナ要素上で送信される連続的なＰＲＳ測位オケージョンの数の観点から指定される、請求項７に記載の位置サーバ。
【請求項１０】
前記アンテナ交換支援情報は、アンテナ交換パターン情報のうちの少なくとも１つをさらに備える、請求項９に記載の位置サーバ。
【請求項１１】
前記プロセッサは、ロングタームエボリューション（ＬＴＥ）測位プロトコル（ＬＰＰ）またはＬＰＰ拡張子（ＬＰＰｅ）メッセージとして、前記ＯＴＤＯＡ支援情報をさらに生成する、請求項７に記載の位置サーバ。
【請求項１２】
ユーザ機器（ＵＥ）に観測到着時間差（ＯＴＤＯＡ）支援情報を送るための手段と、
位置サーバによってサービス提供されるセルのサブセットにおける少なくとも１つのセルに関する前記ＯＴＤＯＡ支援情報を生成するための手段
を備え、前記ＯＴＤＯＡ支援情報は、測位基準信号（ＰＲＳ）支援情報を備え、物理送信アンテナ要素交換が前記少なくとも１つのセルによって使用される場合、前記ＰＲＳ支援情報は、前記少なくとも１つのセルに関するアンテナ交換支援情報を含み、前記アンテナ交換支援情報は、
１つまたは複数のパラメータ、ここにおいて、前記１つまたは複数のパラメータの各々は、
前記位置サーバによってサービス提供されるセルの前記サブセットにおけるセルを識別し、
物理送信アンテナ要素交換が、前記セルのためのＰＲＳ測位オケージョン間で生じるかどうかを示す、または
アンテナ交換間隔に関連する情報
のうちの少なくとも１つをさらに備える、
位置サーバ。
【請求項１３】
前記１つまたは複数のパラメータは、ブーリアンパラメータを備える、請求項１２に記載の位置サーバ。
【請求項１４】
前記アンテナ交換間隔は、物理送信アンテナ要素が交換される前に、前記少なくとも１つのセルにおける前記物理送信アンテナ要素上で送信される連続的なＰＲＳ測位オケージョンの数の観点から指定される、請求項１２に記載の位置サーバ。
【請求項１５】
前記アンテナ交換支援情報は、アンテナ交換パターン情報のうちの少なくとも１つをさらに備える、請求項１４に記載の位置サーバ。
【請求項１６】
生成するための手段は、ロングタームエボリューション（ＬＴＥ）測位プロトコル（ＬＰＰ）またはＬＰＰ拡張子（ＬＰＰｅ）メッセージとして、前記ＯＴＤＯＡ支援情報を生成する、請求項１２に記載の位置サーバ。
【請求項１７】
位置サーバからの観測到着時間差（ＯＴＤＯＡ）支援情報を提供するための実行可能な命令を備える非一時的なコンピュータ可読媒体であって、前記実行可能な命令は、
前記位置サーバ上の通信インタフェースを介して、ユーザ機器に前記ＯＴＤＯＡ支援情報を送ること、
を行うようにプロセッサを構成し、前記ＯＴＤＯＡ支援情報は、測位基準信号（ＰＲＳ）支援情報を備え、物理送信アンテナ要素交換が前記位置サーバによってサービス提供されるセルのサブセットにおける少なくとも１つのセルによって使用される場合、前記ＰＲＳ支援情報は、前記少なくとも１つのセルに関するアンテナ交換支援情報を含み、前記アンテナ交換支援情報は、
１つまたは複数のパラメータ、ここにおいて、前記１つまたは複数のパラメータの各々は、
前記位置サーバによってサービス提供されるセルの前記サブセットにおけるセルを識別し、
物理送信アンテナ要素交換が、前記セルのためのＰＲＳ測位オケージョン間で生じるかどうかを示す、または
アンテナ交換間隔に関連する情報
のうちの少なくとも１つをさらに備える、
非一時的なコンピュータ可読媒体。
【請求項１８】
前記１つまたは複数のパラメータは、ブーリアンパラメータを備える、請求項１７に記載のコンピュータ可読媒体。
【請求項１９】
前記アンテナ交換間隔は、物理送信アンテナ要素が交換される前に、前記少なくとも１つのセルにおける前記物理送信アンテナ要素上で送信される連続的なＰＲＳ測位オケージョンの数の観点から指定される、請求項１７に記載のコンピュータ可読媒体。
【請求項２０】
前記アンテナ交換支援情報は、アンテナ交換パターン情報のうちの少なくとも１つをさらに備える、請求項１９に記載のコンピュータ可読媒体。
【請求項２１】
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、請求項１７に記載のコンピュータ可読媒体。
【請求項２２】
モバイル局（ＭＳ）で観測到着時間差（ＯＴＤＯＡ）支援情報を受信することと、ここにおいて、前記ＯＴＤＯＡ支援情報は、少なくとも１つのセルに関するアンテナ交換支援情報を含む測位基準信号（ＰＲＳ）支援情報を備える、
物理送信アンテナ要素交換は、前記受信されたアンテナ交換支援情報に少なくとも部分的に基づいて、前記少なくとも１つのセルによって使用されるかどうかを決定することと、
物理送信アンテナ要素交換が前記少なくとも１つのセルによって使用される場合、単一のＰＲＳ測位オケージョン中の前記ＭＳにおける測定に基づいて決定される到着時間（ＴＯＡ）値のセットからＰＲＳに関するＴＯＡ値を選択することと、ここにおいて、前記ＰＲＳは前記ＭＳによって受信され、前記選択されたＴＯＡ値は、ＴＯＡ値の前記セットにおける他のＴＯＡ値よりも、前記ＰＲＳのソースと前記ＭＳとの間のより短い距離を示す、
を備える方法。
【請求項２３】
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、請求項２２に記載の方法。
【請求項２４】
前記ＯＴＤＯＡ支援情報は、前記少なくとも１つのセルのための位置サーバによって送信される、請求項２２に記載の方法。
【請求項２５】
前記選択されたＴＯＡ値および前記ＯＴＤＯＡ支援情報に部分的に基づいて、前記ＭＳの位置を決定すること、をさらに備える、請求項２２に記載の方法。
【請求項２６】
測位基準信号（ＰＲＳ）および観測到着時間差（ＯＴＤＯＡ）支援情報を受信する能力を有するトランシーバと、ここにおいて、前記ＯＴＤＯＡ支援情報は、少なくとも１つのセルに関するアンテナ交換支援情報を含むＰＲＳ支援情報を備える、
前記トランシーバに結合されたプロセッサと
を備え、前記プロセッサは、
物理送信アンテナ要素交換が、前記受信されたアンテナ交換支援情報に少なくとも部分的に基づいて、前記少なくとも１つのセルによって使用されるかどうかを決定することと、
単一のＰＲＳ測位オケージョン中の測定に基づいて決定される到着時間（ＴＯＡ）値のセットからＰＲＳに関するＴＯＡ値を選択することと、ここにおいて、物理送信アンテナ要素交換が前記少なくとも１つのセルによって使用される場合、前記ＰＲＳはモバイル局（ＭＳ）によって受信され、前記選択されたＴＯＡ値は、ＴＯＡ値の前記セットにおける他のＴＯＡ値よりも、前記ＰＲＳのソースと前記ＭＳとの間のより短い距離を示す、
を行うように構成されるモバイル局（ＭＳ）。
【請求項２７】
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、請求項２６に記載のモバイル局。
【請求項２８】
前記プロセッサは、前記選択されたＴＯＡ値および前記ＯＴＤＯＡ支援情報に部分的に基づいて、前記ＭＳの位置を決定するようにさらに構成される、請求項２６に記載のモバイル局。
【請求項２９】
トランシーバ手段と、ここにおいて、前記トランシーバ手段は、測位基準信号（ＰＲＳ）および観測到着時間差（ＯＴＤＯＡ）支援情報を受信するためのものであり、ここにおいて、前記ＯＴＤＯＡ支援情報は、少なくとも１つのセルに関するアンテナ交換支援情報を含むＰＲＳ支援情報を備える、
前記トランシーバ手段に結合された処理する手段と
を備え、前記処理する手段は、
物理送信アンテナ要素交換が前記受信されたアンテナ交換支援情報に少なくとも部分的に基づいて、前記少なくとも１つのセルによって使用されるかどうかを決定するための手段と、
単一のＰＲＳ測位オケージョン中の測定に基づいて決定される到着時間（ＴＯＡ）値のセットからＰＲＳに関するＴＯＡ値を選択するための手段と、ここにおいて、物理送信アンテナ要素交換が前記少なくとも１つのセルによって使用される場合、前記ＰＲＳはモバイル局（ＭＳ）によって受信され、前記選択されたＴＯＡ値は、ＴＯＡ値の前記セットにおける他のＴＯＡ値よりも、前記ＰＲＳのソースと前記ＭＳとの間のより短い距離を示す、
をさらに備える、モバイル局。
【請求項３０】
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、請求項２９に記載のモバイル局。
【請求項３１】
前記処理する手段は、前記選択されたＴＯＡ値および前記ＯＴＤＯＡ支援情報に部分的に基づいて、前記ＭＳの位置を決定するための手段をさらに備える、請求項２９に記載のモバイル局。
【請求項３２】
プロセッサによって実行されるときに方法におけるステップを実行する命令を備える、非一時的なコンピュータ可読媒体であって、前記ステップは、
モバイル局（ＭＳ）で観測到着時間差（ＯＴＤＯＡ）支援情報を受信することと、ここにおいて、前記ＯＴＤＯＡ支援情報は、少なくとも１つのセルに関するアンテナ交換支援情報を含む測位基準信号（ＰＲＳ）支援情報を備える、
物理送信アンテナ要素交換は、前記受信されたアンテナ交換支援情報に少なくとも部分的に基づいて、前記少なくとも１つのセルによって使用されるかどうかを決定することと、
物理送信アンテナ要素交換が前記少なくとも１つのセルによって使用される場合、単一のＰＲＳ測位オケージョン中の前記ＭＳにおける測定に基づいて決定される到着時間（ＴＯＡ）値のセットからＰＲＳに関するＴＯＡ値を選択することと、ここにおいて、前記ＰＲＳは前記ＭＳによって受信され、前記選択されたＴＯＡ値は、ＴＯＡ値の前記セットにおける他のＴＯＡ値よりも、前記ＰＲＳのソースと前記ＭＳとの間のより短い距離を示す、
を備える非一時的なコンピュータ可読媒体。
【請求項３３】
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、請求項３２に記載のコンピュータ可読媒体。
【請求項３４】
前記ＯＴＤＯＡ支援情報は、前記少なくとも１つのセルのための位置サーバによって送信される、請求項３２に記載のコンピュータ可読媒体。
【請求項３５】
前記選択されたＴＯＡ値および前記ＯＴＤＯＡ支援情報に部分的に基づいて、前記ＭＳの位置を決定すること、をさらに備える、請求項３２に記載のコンピュータ可読媒体。
【請求項３６】
単一のセルにサービス提供する複数の物理送信アンテナ要素を備えるシステムのための測位基準信号（ＰＲＳ）シーケンスを生成する方法であって、
前記複数の物理送信アンテナ要素のサブセットに特異の物理アンテナポート（ＰＡＰ）識別子（ＩＤ）を割り当てることと、
前記複数の物理送信アンテナ要素の前記サブセットのためのＰＲＳシーケンスを生成することと、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
を備える方法。
【請求項３７】
前記複数の物理送信アンテナ要素は、分散型アンテナシステム（ＤＡＳ）を備える、請求項３６に記載の方法。
【請求項３８】
前記複数の物理送信アンテナ要素は、遠隔ラジオヘッド（ＲＲＨ）を使用して実現される、請求項３６に記載の方法。
【請求項３９】
前記ＰＡＰ  ＩＤ（ｈ）は、位置サーバによって、前記対応する物理送信アンテナ要素に関する観測到着時間差（ＯＴＤＯＡ）支援情報の一部として送信される、請求項３６に記載の方法。
【請求項４０】
前記ＰＡＰ  ＩＤ（ｈ）は、モバイル局で複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として送信される、請求項３９に記載の方法。
【請求項４１】
前記複数の物理送信アンテナ要素の前記サブセットにおける前記複数の物理送信アンテナ要素のうちの少なくとも１つに関してｆ（ＰＡＰｈ）＝０である、請求項３６に記載の方法。
【請求項４２】
通信インタフェースと、ここにおいて、前記通信インタフェースは、モバイル局（ＭＳ）に観測到着時間差（ＯＴＤＯＡ）支援情報を送るためのものであり、ＯＴＤＯＡ支援情報は、物理アンテナポート（ＰＡＰ）識別子（ＩＤ）を備える、
前記通信インタフェースに結合されたプロセッサと
を備え、前記プロセッサは、
単一のセルにサービス提供する複数の物理送信アンテナ要素の各々に特異のＰＡＰ  ＩＤを割り当て、
前記複数の物理送信アンテナ要素のサブセットのためのＰＲＳシーケンスを生成する、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
ように構成される、装置。
【請求項４３】
前記複数の物理送信アンテナ要素は、分散型アンテナシステム（ＤＡＳ）を備える、請求項４２に記載の装置。
【請求項４４】
前記複数の物理送信アンテナ要素は、遠隔ラジオヘッド（ＲＲＨ）を使用して実現される、請求項４２に記載の装置。
【請求項４５】
前記装置は位置サーバである、請求項４２に記載の装置。
【請求項４６】
前記プロセッサは、前記ＭＳで複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として前記ＰＡＰ  ＩＤ（ｈ）を含むようにさらに構成される、請求項４５に記載の装置。
【請求項４７】
前記複数の物理送信アンテナ要素の前記サブセットにおける前記物理送信アンテナ要素のうちの少なくとも１つに関してｆ（ＰＡＰｈ）＝０である、請求項４２に記載の装置。
【請求項４８】
通信手段と、前記通信手段は、モバイル局（ＭＳ）に観測到着時間差（ＯＴＤＯＡ）支援情報を送るように構成され、ＯＴＤＯＡ支援情報は、物理アンテナポート（ＰＡＰ）識別子（ＩＤ）を備える、
前記通信手段に結合された処理する手段と
を備え、前記処理する手段は、
単一のセルにサービス提供する複数の物理送信アンテナ要素の各々に特異のＰＡＰ  ＩＤを割り当てるための手段と、
前記複数の物理送信アンテナ要素のサブセットのためのＰＲＳシーケンスを生成するための手段と、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
をさらに備える、装置。
【請求項４９】
前記複数の物理送信アンテナ要素は、分散型アンテナシステム（ＤＡＳ）を備える、請求項４８に記載の装置。
【請求項５０】
前記複数の物理送信アンテナ要素は、遠隔ラジオヘッド（ＲＲＨ）を使用して実現される、請求項４８に記載の装置。
【請求項５１】
前記装置は位置サーバである、請求項４８に記載の装置。
【請求項５２】
前記処理する手段は、前記ＭＳで複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として前記ＰＡＰ  ＩＤ（ｈ）をさらに含む、請求項５１に記載の装置。
【請求項５３】
前記複数の物理送信アンテナ要素の前記サブセットにおける前記物理送信アンテナ要素のうちの少なくとも１つに関してｆ（ＰＡＰｈ）＝０である、請求項４８に記載の装置。
【請求項５４】
プロセッサによって実行されるときに、単一のセルにサービス提供する複数の物理送信アンテナ要素を備えるシステムのための測位基準信号（ＰＲＳ）シーケンスを生成する方法におけるステップを実行する命令を備える非一時的なコンピュータ可読媒体であって、前記ステップは、
前記複数の物理送信アンテナ要素のサブセットに特異の物理アンテナポート（ＰＡＰ）識別子（ＩＤ）を割り当てることと、
前記複数の物理送信アンテナ要素の前記サブセットのためのＰＲＳシーケンスを生成することと、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
を備える非一時的なコンピュータ可読媒体。
【請求項５５】
前記複数の物理送信アンテナ要素は、分散型アンテナシステム（ＤＡＳ）を備える、請求項５４に記載のコンピュータ可読媒体。
【請求項５６】
前記複数の物理送信アンテナ要素は、遠隔ラジオヘッド（ＲＲＨ）を使用して実現される、請求項５４に記載のコンピュータ可読媒体。
【請求項５７】
前記ＰＡＰ  ＩＤ（ｈ）は、位置サーバによって、前記対応する物理送信アンテナ要素に関する観測到着時間差（ＯＴＤＯＡ）支援情報の一部として送信される、請求項５４に記載のコンピュータ可読媒体。
【請求項５８】
前記ＰＡＰ  ＩＤ（ｈ）は、モバイル局で複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として送信される、請求項５７に記載のコンピュータ可読媒体。
【請求項５９】
前記複数の物理送信アンテナ要素の前記サブセットにおける前記物理送信アンテナ要素のうちの少なくとも１つに関してｆ（ＰＡＰｈ）＝０である、請求項５４に記載のコンピュータ可読媒体。
【請求項６０】
セルから複数の測位基準信号（ＰＲＳ）シーケンスを受信すること、ここにおいて、前記受信された複数のＰＲＳシーケンスにおける各ＰＲＳシーケンスは、対応する関数ｆ（ＰＡＰｈ）に部分的に基づき、前記対応する関数ｆ（ＰＡＰｈ）は、
対応するＰＲＳシーケンスのための長さ３１ゴールドシーケンスのためのシードに追加され、
前記セルにおける対応する物理送信アンテナ要素のＰＡＰ  ＩＤ（ｈ）に基づく、
を備える、モバイル局での方法。
【請求項６１】
前記モバイル局において、前記対応する物理送信アンテナ要素に関する前記ＰＡＰ  ＩＤ（ｈ）を備える観測到着時間差（ＯＴＤＯＡ）支援情報を受信することをさらに備える、
請求項６０に記載の方法。
【請求項６２】
前記対応する物理送信アンテナ要素に関する前記ＰＡＰ  ＩＤ（ｈ）に基づいて、対応する複製のＰＲＳシーケンスを生成することをさらに備える、
請求項６１に記載の方法。
【請求項６３】
セルから複数の測位基準信号（ＰＲＳ）シーケンスを受信するように構成されたトランシーバと、ここにおいて、前記受信された複数のＰＲＳシーケンスにおける各ＰＲＳシーケンスは、対応する関数ｆ（ＰＡＰｈ）に部分的に基づき、前記対応する関数ｆ（ＰＡＰｈ）は、
対応するＰＲＳシーケンスのための長さ３１ゴールドシーケンスのためのシードに追加され、
前記セルにおける対応する物理送信アンテナ要素のＰＡＰ  ＩＤ（ｈ）に基づく、
前記トランシーバに結合されたプロセッサと、ここにおいて、前記プロセッサは、
前記トランシーバによって、前記複数のＰＲＳシーケンスを複製する複製ＰＲＳシーケンスを生成する能力を示す能力情報の送信を開始するように構成される、
を備える、モバイル局。
【請求項６４】
前記トランシーバは、
前記能力情報に応答して、前記対応する物理送信アンテナ要素に関する前記ＰＡＰ  ＩＤ（ｈ）を備える、観測到着時間差（ＯＴＤＯＡ）支援情報を受信するようにさらに構成される、
請求項６３に記載のモバイル局。
【請求項６５】
前記プロセッサは、
前記対応する物理送信アンテナ要素に関する前記ＰＡＰ  ＩＤ（ｈ）に基づいて、対応する複製ＰＲＳシーケンスを生成するようにさらに構成される、
請求項６４に記載のモバイル局。
【請求項６６】
セルから複数の測位基準信号（ＰＲＳ）シーケンスを受信するための手段と、ここにおいて、前記受信された複数のＰＲＳシーケンスにおける各ＰＲＳシーケンスは、対応する関数ｆ（ＰＡＰｈ）に部分的に基づき、前記対応する関数ｆ（ＰＡＰｈ）は、
対応するＰＲＳシーケンスのための長さ３１ゴールドシーケンスのためのシードに追加され、
前記セルにおける対応する物理送信アンテナ要素のＰＡＰ  ＩＤ（ｈ）に基づく、
処理手段と、ここにおいて、前記処理手段は、前記受信されたＰＲＳシーケンスのうちの１つまたは複数を複製するＰＲＳシーケンスを生成する能力を示す能力情報の送信を開始するためのものである、
を備える、装置。
【請求項６７】
前記能力情報に応答して、前記対応する物理送信アンテナ要素に関する前記ＰＡＰ  ＩＤ（ｈ）を備える、観測到着時間差（ＯＴＤＯＡ）支援情報を受信するための手段をさらに備える、
請求項６６に記載の装置。
【請求項６８】
実行可能なプログラム命令を含む非一時的なコンピュータ可読媒体であって、前記実行可能なプログラム命令は、
セルから複数の測位基準信号（ＰＲＳ）シーケンスを受信すること、ここにおいて、前記受信された複数のＰＲＳシーケンスにおける各ＰＲＳシーケンスは、対応する関数ｆ（ＰＡＰｈ）に部分的に基づき、前記対応する関数ｆ（ＰＡＰｈ）は、
対応するＰＲＳシーケンスのための長さ３１ゴールドシーケンスのためのシードに追加され、
前記セルにおける対応する物理送信アンテナ要素のＰＡＰ  ＩＤ（ｈ）に基づく、
をプロセッサに行わせる、非一時的なコンピュータ可読媒体。
【請求項６９】
前記実行可能なプログラム命令は、前記プロセッサに、
前記モバイル局において、前記対応する物理送信アンテナ要素に関する前記ＰＡＰ  ＩＤ（ｈ）を備える、観測到着時間差（ＯＴＤＯＡ）支援情報をさらに受信させる、
請求項６８に記載のコンピュータ可読媒体。
【手続補正２】
【補正対象書類名】明細書
【補正対象項目名】０００８
【補正方法】変更
【補正の内容】
【０００８】
[0008]いくつかの実施形態では、アンテナ交換支援情報は、１つまたは複数のブーリアンパラメータをさらに備え、１つまたは複数のブーリアンパラメータの各々は、サーバによってサービス提供されるセルのサブセットにおける１つのセルに対応し、物理送信アンテナ要素交換が対応するセルのためのＰＲＳ測位オケージョンの間に生じるかどうかを示す。いくつかの実施形態では、アンテナ交換支援情報は、アンテナ交換間隔に関連する情報をさらに備えることができ、アンテナ交換間隔は、物理送信アンテナ要素が交換される前に少なくとも１つのセルにおける物理送信アンテナ要素上で送信される連続的なＰＲＳ測位オケージョンの数の観点から指定される。いくつかの実施形態では、アンテナ交換支援情報は、アンテナ交換パターン情報および／またはアンテナミューティングパターン情報のうちの少なくとも１つをさらに備えることができる。ＯＴＤＯＡ支援情報は、ロングタームエボリューション（ＬＴＥ（登録商標））測位プロトコル（ＬＰＰ）またはＬＰＰ拡張子（ＬＰＰｅ）メッセージを使用してＭＳに送られうる。
【手続補正３】
【補正対象書類名】明細書
【補正対象項目名】００２６
【補正方法】変更
【補正の内容】
【００２６】
[0040]図１Ａは、いくつかの事例では位置サーバまたは別のネットワークエンティティの形式をとりうる、サーバ１５０とＭＳ１２０との間でロングタームエボリューション（ＬＴＥ）測位プロトコル（ＬＰＰ）またはＬＰＰ拡張子（ＬＰＰｅ）メッセージを使用して、位置支援データまたは位置情報の転送を含む位置サービスをＵＥに提供する能力を有するシステム１００のアーキテクチャを図示している。位置情報の転送は、ＭＳ１２０とサーバ１５０との両方に適切なレートで生じることができる。ＬＰＰプロトコルは周知であり、第３世代パートナーシッププロジェクト（３ＧＰＰ（登録商標））として知られている組織による様々な公的に利用可能な技術仕様書において説明されている。ＬＰＰｅは、オープンモバイルアライアンス（ＯＭＡ）によって定義されてきており、各組み合わされたＬＰＰ／ＬＰＰｅメッセージが、組み込まれたＬＰＰｅメッセージを備えるＬＰＰメッセージでありうるようにＬＰＰと組み合わせて使用されうる。
【手続補正４】
【補正対象書類名】明細書
【補正対象項目名】００３４
【補正方法】変更
【補正の内容】
【００３４】
[0048]ＣＤＭＡネットワークは、例えば、ｃｄｍａ２０００、広帯域−ＣＤＭＡ（Ｗ−ＣＤＭＡ（登録商標））等の、１つまたは複数の無線アクセス技術（ＲＡＴ）を実装しうる。ｃｄｍａ２０００は、ＩＳ−９５、ＩＳ−２０００、およびＩＳ−８５６規格を含む。ＴＤＭＡネットワークは、移動通信のためのグローバルシステム（ＧＳＭ（登録商標））、デジタルアドバンスドモバイル電話システム（Ｄ−ＡＭＰＳ：Digital Advanced Mobile Phone System）、または何らかの他のＲＡＴを実装しうる。ＧＳＭ、Ｗ−ＣＤＭＡ、およびＬＴＥは、３ＧＰＰによるドキュメントで説明されている。ｃｄｍａ２０００は、「第３世代パートナーシッププロジェクト２（３ＧＰＰ２）」という名称のコンソーシアムによるドキュメントで説明されている。３ＧＰＰおよび３ＧＰＰ２のドキュメントは、公的に利用可能である。ＷＬＡＮは、ＩＥＥＥ８０２．１１ｘネットワークであり、ＷＰＡＮは、ブルートゥース（登録商標）ネットワーク、ＩＥＥＥ８０２．１５ｘ、または何らかの他のタイプのネットワークでありうる。その技術はまた、ＷＷＡＮ、ＷＬＡＮ、および／またはＷＰＡＮのあらゆる組み合わせと連動して実行されうる。例えば、物理送信アンテナ要素１４０およびネットワーク１３０は、例えば、進化型ＵＭＴＳ地上無線アクセスネットワーク（Ｅ−ＵＴＲＡＮ）（ＬＴＥ）ネットワーク、Ｗ−ＣＤＭＡ  ＵＴＲＡＮネットワーク、ＧＳＭ／ＥＤＧＥ無線アクセスネットワーク（ＧＥＲＡＮ）、１ｘＲＴＴネットワーク、エボリューションデータ最適化（ＥｖＤＯ）ネットワーク、ＷｉＭａｘネットワーク、またはＷＬＡＮ、のうちの一部を形成することができる。